(57)【要約】  【課題】  真空断熱パネルを生産して、他の地域における冷蔵庫等の生産組立工場においてこの真空断熱パネルを使用する場合にもガス遮断性が劣化しないようにすること。  【解決手段】  袋３を構成する外側収納材３１は外側から保護層、ガスバリア層、熱溶着のシール層から構成されて、内側収納材３２は外側から保護層、ガスバリア層４０、熱溶着のシール層から構成されて、各層は接着剤で固定され、コア材１を収納して両シールを熱溶着によりシールし、生産された真空断熱パネル４の生産地域から使用地域まで、真空断熱パネル４を乾燥剤が入ったダンボール箱内に密封又は略密封状態で収納して輸送する。  【選択図】  図１
2006062677.tif 000002
【特許請求の範囲】
【請求項１】
断熱性を有したコア材をガス遮断性の高い収納部材内に収めて真空密封して成る真空断熱パネルを、乾燥剤が入った梱包箱内に収納して輸送することを特徴とする真空断熱パネルの輸送方法。
【請求項２】
断熱性を有したコア材をガス遮断性の高い収納部材内に収めて真空密封して成る真空断熱パネルを、乾燥剤が入ったコンテナ内に収納して輸送することを特徴とする真空断熱パネルの輸送方法。
【請求項３】
断熱性を有したコア材をガス遮断性の高い収納部材内に収めて真空密封して成る真空断熱パネルを、保冷トラックの保冷室内に収納して輸送することを特徴とする真空断熱パネルの輸送方法。
【請求項４】
断熱性を有したコア材をガス遮断性の高い収納部材内に収めて真空密封して成る真空断熱パネルを、恒温庫内に収納して輸送することを特徴とする真空断熱パネルの輸送方法。
【請求項５】
前記ガス遮断性の高い収納部材は、アルミ蒸着の所定の層を含むことを特徴とする請求項１乃至請求４のいずれかに記載の真空断熱パネルの輸送方法。
【発明の詳細な説明】
【技術分野】
【０００１】
本発明は、断熱性を有したコア材をガス遮断性の高い収納部材内に収めて真空密封して成る真空断熱パネルの輸送方法に関するものである。
【背景技術】
【０００２】
真空断熱パネルは、ラミネートフィルムにより覆われているが、このラミネートフィルムにおいてガスバリアの役目は、主にアルミニウム箔によって行なわれている。実際には、アルミニウム箔とアルミニウム蒸着膜の両方で行なわれる。
【０００３】
しかしながら、アルミニウムは、熱伝導率が良く、熱を伝えやすい。このため、真空断熱パネルで熱を遮断しても、このラミネートフィルム中のアルミニウムを介して、熱が一方側から反対側に回り込む現象が生じる。
【０００４】
このため、アルミニウム箔を省略してアルミニウム蒸着層だけのラミネートフィルムを用いることが提案されている（例えば、特許文献１）。
【特許文献１】特開平１０−１２２４７７号公報
【発明の開示】
【発明が解決しようとする課題】
【０００５】
しかし、このようにアルミニウム箔を使用せずにアルミニウム蒸着膜だけのラミネートフィルムを使用した真空断熱パネルの場合は、当然、ガスバリア性能は劣化している。従って、このような真空断熱パネルを外気中に放置すると、空気中の水分により、真空度は劣化する。
【０００６】
冷蔵庫において、真空断熱パネルは、発泡ウレタン材中に埋没して設置されるので、上記の真空断熱パネルを製造すると時間を置かずに、冷蔵庫の発泡ウレタン中に埋没させるようにしている。
【０００７】
つまり、上記の真空断熱パネルを製造後に遠距離輸送する又は、長時間放置することは禁忌であった。
【０００８】
そこで本発明は、真空断熱パネルを生産して、他の地域における冷蔵庫などの生産組立工場においてこの真空断熱パネルを使用する場合にもガス遮断性が劣化しないようにすることを目的とする。
【課題を解決するための手段】
【０００９】
このため第１の発明は、断熱性を有したコア材をガス遮断性の高い収納部材内に収めて真空密封して成る真空断熱パネルを、乾燥剤が入った梱包箱内に収納して輸送することを特徴とする。
【００１０】
また第２の発明は、断熱性を有したコア材をガス遮断性の高い収納部材内に収めて真空密封して成る真空断熱パネルを、乾燥剤が入ったコンテナ内に収納して輸送することを特徴とする。
【００１１】
第３の発明は、断熱性を有したコア材をガス遮断性の高い収納部材内に収めて真空密封して成る真空断熱パネルを、保冷トラックの保冷室内に収納して輸送することを特徴とする。
【００１２】
第４の発明は、断熱性を有したコア材をガス遮断性の高い収納部材内に収めて真空密封して成る真空断熱パネルを、恒温庫内に収納して輸送することを特徴とする。
【００１３】
更に、第５の発明は、第１乃至第４の発明において、前記ガス遮断性の高い収納部材は、アルミ蒸着の所定の層を含むことを特徴とする。
【発明の効果】
【００１４】
本発明によれば、真空断熱パネルを生産して、他の地域における冷蔵庫などの生産組立工場においてこの真空断熱パネルを使用する場合にもガス遮断性が劣化しないようにすることができる。
【発明を実施するための最良の形態】
【００１５】
以下、本発明を実施するための最良の形態について、図面を参照しながら説明する。袋３としては、ガスバリア性（ガス遮断性の高い）を有し、ヒートシール可能で、コア材１を収納して内部を真空に維持できるものであれば、どのようなものでも用いることができる。即ち、前記袋３は、シート状の一方の収納材である外側収納材３１及び他方の収納材である内側収納材３２から構成され、コア部材１を被覆する被覆部３３とこの被覆部３３の外周縁から外方に延び重合された外縁部である重合シール耳部分３Ｃを備えている。外側収納材３１及び内側収納材３２は、例えばガスバリアフィルムから構成され、外側収納材３１は外側から例えばナイロン層３４からなる衝撃緩和のための保護層、アルミ蒸着ＰＥＴ（ポリエチレン・テレフタレート）層３５及びアルミ蒸着エチレンビニルアルコール共重合体樹脂層３６からなるガスバリア層、直鎖状低密度ポリエチレン層３７からなる熱溶着のシール層から構成されて、これら各層は接着剤で接着固定される。また、内側収納材３２は外側から例えばナイロン層３８及びナイロン層３９からなる保護層、アルミニウム箔などの金属層からなるガスバリア層４０、直鎖状低密度ポリエチレン層４１からなる熱溶着のシール層から構成されて、これら各層は接着剤で接着固定される。そして、耳部分３Ｃにおいて、熱溶着し、即ち外側収納材３１の直鎖状低密度ポリエチレン層３７と内側収納材３２の直鎖状低密度ポリエチレン層４１とを熱溶着によりシールするものである。
【００１６】
この真空断熱パネル４の内側収納材３２は、アルミニウム箔の層を採用して、ガスの遮断性能を高めている。しかし、外側収納材３１にはアルミニウム箔は使用せずにアルミニウム蒸着の層により主にガスを遮断している。このため、この真空断熱パネルのガス遮断能力は低く、外部からの侵入（主に水分）に弱い。従って、絶対湿度の高い雰囲気中に放置されると、真空度が直ぐに劣化する。
【００１７】
このため、生産工場において、この真空断熱パネルを生産して、他の地域においける冷蔵庫組立工場において、この真空断熱パネルを使用する場合には、その運送中に真空度が劣化する。
【００１８】
そこで、真空断熱パネル４の生産地域から使用地域まで、真空断熱パネル４を乾燥剤が入った梱包箱であるダンボール箱（図示せず）内に密封又は略密封状態で収納して輸送したり、真空断熱パネル４を乾燥剤が入ったコンテナ（図示せず）内に密封又は略密封状態で収納して輸送したり、真空断熱パネル４を保冷トラックの保冷室内に収納し、低温状態で輸送したり、真空断熱パネル４を恒温庫内に収納して低温状態で輸送してもよい。
【００１９】
これにより、真空断熱パネル４を生産して、他の地域における冷蔵庫などの生産組立工場においてこの真空断熱パネル４を使用する場合にもガス遮断性が劣化しないようにすることができる。なお、冷蔵庫などの生産組立工場において、この真空断熱パネル４を使用するまでの期間についても、乾燥剤が入ったダンボール箱、コンテナ内に密封又は略密封状態で保管したり、恒温庫内に収納して低温状態で保管してもよい。
【００２０】
そして、冷蔵庫などの生産組立工場において、ダンボール箱、コンテナ、保冷トラックの保冷室からこの真空断熱パネル４を取出して、冷蔵庫に使用する。即ち、真空断熱パネル４を外箱１１の内面に取り付けて、両箱１１、１２間に発泡ポリウレタン１５を充填して断熱材１３を形成するが、この断熱材１３は熱伝導率が低い（断熱性能が高い）真空断熱パネル４を用いることにより、熱の漏洩を低く抑えることができ、冷蔵庫１０において断熱材１３の肉厚を薄くすることができるものである。
【００２１】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２２】
【図１】真空断熱パネルの周縁部の断面図である。
【図２】冷蔵庫の一部縦断面図である。
【符号の説明】
【００２３】
１              コア材
３              袋
４              真空断熱パネル
３１            外側収納材
３２            内側収納材
３５            アルミ蒸着ＰＥＴ層
３６            アルミ蒸着エチレンビニルアルコール共重合体樹脂層
４０            ガスバリア層
【図１】
2006062677.tif 000003
【図２】
2006062677.tif 000004